(57)【要約】【課題】単セルの積層の誤りを抑制する技術を提供する。【解決手段】燃料電池を構成する単セルを積層する方法であって、平面形状を上下左右非対称とする基準部を備えた略矩形形状の単セルを複数枚用意し、単セルの上下左右の非対称性に寄与している部分に適合する積層方向ガイド部材を備えた積層治具を用意し、積層治具の積層方向ガイド部材に、単セルの基準部を適合させつつ、複数枚の単セルを積層治具に順次積層する。【選択図】図２
2015149265.tif 000002
【特許請求の範囲】
【請求項１】
燃料電池を構成する単セルを積層する方法であって、
平面形状を上下左右非対称とする基準部を備えた略矩形形状の前記単セルを複数枚用意し、
前記単セルの前記上下左右の非対称性に寄与している部分に適合する積層方向ガイド部材を備えた積層治具を用意し、
前記積層治具の前記積層方向ガイド部材に、前記単セルの前記基準部を適合させつつ、前記複数枚の単セルを前記積層治具に順次積層する
燃料電池用単セルの積層方法。
【請求項２】
請求項１記載の積層方法に用いる積層治具であって、
平面形状を上下左右非対称とする基準部を備えた略矩形形状の前記単セルを、適切な積層位置に案内するガイド部材を備える積層治具であり、
前記ガイド部材の少なくとも一部は、前記単セルの前記上下左右の非対称性に寄与している部分に適合する積層方向ガイド部材として構成された
積層治具。
【請求項３】
請求項２に記載の積層治具において、
前記基準部は、前記単セルの外周を切り欠くことにより形成される
積層治具。
【請求項４】
請求項２または請求項３に記載の積層治具において、
前記基準部は、複数設けられ、
前記積層方向ガイド部材は、前記基準部と同数設けられる
積層治具。
【請求項５】
請求項２から請求項４までのいずれか一項に記載の積層治具において、
前記ガイド部材の全てが前記積層方向ガイド部材として構成される
積層治具。
【請求項６】
燃料電池を構成する単セルを複数積層して燃料電池スタックを製造する方法であって、
平面形状を上下左右非対称とする基準部を備えた略矩形形状の前記単セルを複数枚用意する工程と、
前記単セルの前記上下左右の非対称性に寄与している部分に適合する積層方向ガイド部材を備えた積層治具を用意する工程と、
前記積層治具の前記積層方向ガイド部材に、前記単セルの前記基準部を適合させつつ、前記複数枚の単セルを前記積層治具に順次積層する工程と、
前記複数枚の前記単セルが積層された積層体の両側に、集電板、絶縁板、エンドプレートを積層して、所定の荷重で締結する工程と、
を備える、燃料電池スタックの製造方法。
【請求項７】
請求項６に記載の燃料電池スタックの製造方法において、
前記燃料電池スタックのシール性を検査する工程と、
前記燃料電池スタックの発電性能を検査する工程と、
を備える、燃料電池スタックの製造方法。
【発明の詳細な説明】
【技術分野】
【０００１】
本発明は、燃料電池の単セルを積層する積層方法に関する。
【背景技術】
【０００２】
膜電極接合体をセパレータで挟持して成る単セルを、数十〜数百枚、積層して構成される燃料電池スタックが知られている。燃料電池スタックを製造する場合、各単セルの位置決めをするための積層治具が用いられる（特許文献１）。特許文献１では、燃料電池スタックを構成する部材を同一の平面形状に形成し、積層治具の位置決めガイドに各部材の端面を沿わせることにより、各部材のずれを抑制して適切な位置に各部材を積層している。
【先行技術文献】
【特許文献】
【０００３】
【特許文献１】特開２００３−８６２３２号公報
【発明の概要】
【発明が解決しようとする課題】
【０００４】
従来は、燃料電池スタックを製造する場合、上記の単セルを積層する工程において、作業者による目視にて単セルの積層方向の判断しているため、単セルの表裏、上下左右を誤って積層する恐れがある。そこで、単セルの積層の誤りを抑制する技術が望まれていた。そのほか、従来の積層方法においては、低コスト化、省資源化、製造の容易化、性能の向上等が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、燃料電池を構成する単セルを積層する方法が提供される。この積層方法は、平面形状を上下左右非対称とする基準部を備えた略矩形形状の前記単セルを複数枚用意し、前記単セルの前記上下左右の非対称性に寄与している部分に適合する積層方向ガイド部材を備えた積層治具を用意し、前記積層治具の前記積層方向ガイド部材に、前記単セルの前記基準部を適合させつつ、前記複数枚の単セルを前記積層治具に順次積層してもよい。
【０００７】
この単セルの積層方法によれば、単セルが備える基準部の、上下左右の非対称性に寄与している部分に適合する積層方向ガイド部材を備える積層治具を用いて、複数の単セルを積層する。基準部は、単セルの平面形状が上下左右非対称となるように設けられているため、この方法で単セルを積層する際に、単セルの積層方向（表裏、上下左右）を間違えると、基準部を積層方向ガイド部材に嵌合することができないため、適切な積層位置に単セルを積層できない。したがって、作業者は単セルの積層方向（表裏、上下左右）を誤ったことに気づくことができ、単セルの積層方向の誤りを抑制することができる。
【０００８】
また、このような形態によれば、低コスト化、省資源化、製造の容易化、性能の向上等の種々の課題の少なくとも１つを解決することができる。
【０００９】
（２）本発明の他の形態によれば、上記形態の積層方法に用いる積層治具が提供される。この積層治具は、平面形状を上下左右非対称とする基準部を備えた略矩形形状の前記単セルを適切な積層位置に案内するガイド部材を備える積層治具であり、前記ガイド部材の少なくとも一部は、前記単セルの前記上下左右の非対称性に寄与している部分に適合する積層方向ガイド部材として構成されてもよい。
【００１０】
この形態の積層治具は、単セルが備える基準部の、上下左右の非対称性に寄与している部分に適合する積層方向ガイド部材を備える。基準部は、単セルの平面形状が上下左右非対称となるように設けられているため、この形態の積層治具を用いて単セルを積層する際に、単セルの積層方向（表裏、上下左右）を間違えると、基準部を積層方向ガイド部材に嵌合することができないため、適切な積層位置に単セルを積層できない。したがって、作業者は単セルの積層方向（表裏、上下左右）を誤ったことに気づくことができるため、単セルの積層方向の誤りを抑制することができる。
【００１１】
（３）上記形態の積層治具において、前記基準部は、前記単セルの外周を切り欠くことにより形成されてよい。このようにすると、例えば、基準部を孔形状に形成する場合に比べて、単セルを容易に積層することができる。
【００１２】
（４）上記形態の積層治具において、前記基準部は、複数設けられ、前記積層方向ガイド部材は、前記基準部と同数設けられてもよい。このようにしても、単セルの積層方向の誤りを抑制することができる。
【００１３】
（５）上記形態の積層治具において、前記ガイド部材の全てが前記積層方向ガイド部材として構成されてもよい。このようにすると、単セルを適切な積層位置に案内する部材を、積層方向ガイド部材と別体として設けなくてもよいため、積層治具の構成を簡単にすることができ、低コスト化、省資源化、製造の容易化に資する。
【００１４】
（６）本発明の他の形態によれば、燃料電池を構成する単セルを複数積層して燃料電池スタックを製造する方法が提供される。この燃料電池スタックの製造方法は、平面形状を上下左右非対称とする基準部を備えた略矩形形状の前記単セルを複数枚用意する工程と、前記単セルの前記上下左右の非対称性に寄与している部分に適合する積層方向ガイド部材を備えた積層治具を用意する工程と、前記積層治具の前記ガイド部材に、前記単セルの前記基準部を適合させつつ、前記複数枚の単セルを前記積層治具に順次積層する工程と、前記複数枚の前記単セルが積層された積層体の両側に、集電板、絶縁板、エンドプレートを積層して、所定の荷重で締結する工程と、を備えてよい。このようにすると、単セルの積層方向が正しい燃料電池スタックを容易に製造することができる。
【００１５】
（７）上記形態の燃料電池スタックの製造方法において、前記燃料電池スタックのシール性を検査する工程と、前記燃料電池スタックの発電性能を検査する工程と、を備えてよい。このようにすると、十分なシール性と発電性能を備えた燃料電池スタックを製造することができる。
【００１６】
なお、本発明は、種々の態様で実現することが可能である。例えば、積層治具の使用方法、燃料電池の製造方法、燃料電池などの種々の形態で実現することができる。
【図面の簡単な説明】
【００１７】
【図１】単セルを平面視で示す説明図である。
【図２】実施形態の積層治具の構成を概略的に斜視で示す説明図である。
【図３】実施形態の積層治具の構成を概略的に平面視で示す説明図である。
【図４】実施形態の積層治具を用いた燃料電池スタックの製造工程を示すフローチャートである。
【図５】変形例の積層治具１Ａの概略構成を平面視で示す説明図である。
【図６】変形例の積層治具１Ｂの概略構成を平面視で示す説明図である。
【図７】変形例の積層治具１Ｃの概略構成を平面視で示す説明図である。
【発明を実施するための形態】
【００１８】
Ａ．実施形態：
（Ａ１）単セルの構成：
本発明の一実施形態としての積層治具の説明に先立って、本実施形態の積層治具を用いて積層する単セルの構成について説明する。単セルは、電解質膜の両面に電極触媒層とガス拡散層とを接合した膜電極接合体をアノード側セパレータとカソード側セパレータとで挟持して構成される。
【００１９】
図１は、単セルを平面視で示す説明図である。図１では、単セル２のアノード側セパレータの冷却水流路９０が形成された面（以下、冷却面ともいう）を示している。図示するように、単セル２は、平面視略長方形を成す。単セル２の図面上方の二隅は、平面視略長方形に切り欠かれて、切欠部４２，４４が形成されている。単セル２の図面下方の二隅は、平面視略長方形に切り欠かれて、基準部５２，５６が形成されている。
【００２０】
切欠部４２，４４および基準部５６は、同一の略長方形に切り欠かれており、基準部５２は、基準部５６よりも小さい略長方形に切り欠かれている。セル２の図面下方の辺の中央付近は、平面視略半円形に切り欠かれて、基準部５４が形成されている。基準部５２，５４，５６が形成されていることにより、単セル２の外形は、上下左右非対称になっている。なお、切欠部４２，４４は、単セル２を積層して燃料電池スタックを構成する際に、締結部材を配置するために形成されている。基準部５２，５６にも、同様に、締結部材を配置できるように、締結部材が構成されている。
【００２１】
複数の単セル２を積層して燃料電池スタックを構成する場合、作業者は、単セル２の基準部５４が形成された長辺と基準部５６が形成された単辺とを、後述する積層治具の積層位置ガイド部材に沿わせると共に、単セル２に形成された基準部５２，５４，５６を、後述する積層治具の積層方向ガイド部材に嵌合しながら積層する。
【００２２】
単セル２は、その周縁に、燃料ガス供給用貫通孔６２と、燃料ガス排出用貫通孔６４と、７つの酸化剤ガス供給用貫通孔８２と、６つの酸化剤ガス排出用貫通孔８４と、３つの冷却水供給用貫通孔７２と、３つの冷却水排出用貫通孔７４と、を備える。単セルを複数積層して、燃料電池スタックを構成すると、これらの貫通孔により、各単セルに燃料ガス、酸化剤ガス、および冷却水を供給するマニホールドや、各単セルから燃料ガス、酸化剤ガス、および冷却水を排出させるマニホールドが形成される。
【００２３】
燃料電池スタックの発電時には、燃料ガス供給用貫通孔６２を介して燃料ガスがアノードに供給され、発電に使用されなかった燃料ガス等が燃料ガス排出用貫通孔６４を介して燃料電池スタック外に排出される。酸化剤ガス供給用貫通孔８２を介して酸化剤ガスがカソードに供給され、発電に使用されなかった酸化剤ガス等が酸化剤ガス排出用貫通孔８４を介して燃料電池スタック外に排出される。
【００２４】
アノード側セパレータは、チタン製の薄板鋼板であり、上記の各貫通孔で囲まれる領域には、冷却水流路９０がプレス加工により形成されている。本実施形態では、アノード側セパレータとして、流路が形成されているものを例示しているが、流路が形成されておらず、別部材として構成された流路部材を介して単セル、燃料電池スタックを構成してもよい。
【００２５】
（Ａ２）積層治具の構成：
図２は、実施形態の積層治具の構成を概略的に斜視で示す説明図である。図３は、実施形態の積層治具の構成を概略的に平面視で示す説明図である。図２，３では、積層治具１を用いて、単セル２が積層されている状態を示している。図示するように、積層治具１は、台座１０と、位置決めガイド部材２２，２４，２６と、積層方向ガイド部材３２，３４，３６とを備える。
【００２６】
台座１０は、平面形状が、単セル２の外形よりも大きい略長方形を成す平板であり、単セル２が積層される台座である。位置決めガイド部材２２，２４，２６は、断面略長方形の四角柱状に形成されており、台座１０から突設されている。位置決めガイド部材２２，２４は、台座１０の一の長辺（図３では下辺に相当）に沿わせて所定の距離を空けて配置されている。位置決めガイド部材２６は、台座１０の位置決めガイド部材２２が設けられている辺と直交する短辺（図３では右辺に相当）に沿わせて設けられている。
【００２７】
図３に示すように、単セル２の長辺を位置決めガイド部材２２，２４に沿わせ、単セル２の短辺を位置決めガイド部材２６に沿わせて、単セル２を積層すると、積層位置が定まり、積層された単セル間のズレが抑制される。
【００２８】
図３に示すように、積層方向ガイド部材３２は、単セル２の基準部５２と嵌合可能な四角柱状に形成されている。積層方向ガイド部材３６は、単セル２の基準部５２とは嵌合せず、基準部５６と嵌合可能な四角柱状に形成されている。積層方向ガイド部材３２，３６は、台座１０の位置決めガイド部材２２，２４が設けられている辺の付近で、位置決めガイド部材２２，２４よりも内側に突設されている。
【００２９】
積層方向ガイド部材３４は、単セル２の基準部５４と嵌合可能な円柱状に形成され、台座１０の位置決めガイド部材２２，２４が設けられている辺の中央付近に突設されている。単セル２の基準部５４が形成されている長辺を位置決めガイド部材２２，２４に沿わせ、単セル２の基準部５６が形成されている短辺を位置決めガイド部材２６に沿わせて、単セル２を台座１０上に載せると、積層方向ガイド部材３２，３４，３６は、それぞれ、単セル２の基準部５２，５４，５６に嵌合する。
【００３０】
本実施形態において、積層方向ガイド部材３２，３４，３６は、それぞれ、その断面形状が、単セル２の基準部５２，５４，５６と略同一に形成されており、基準部５２，５４，５６に嵌合する。積層方向ガイド部材３２，３４，３６の断面形状は、これに限定されず、単セルの平面形状の上下左右の非対称性に寄与している部分に嵌まればよい。例えば、基準部５２、５６は、単セル２を左右非対称にするために設けられているが、単セル２の中心点を通り、短辺に平行な直線を対称の軸として、対称の軸を折り目にして折った時に、重ならない部分が、左右対称に寄与している部分である。上下方向の非対称性についても同様である。すなわち、積層方向ガイド部材３２、積層方向ガイド部材３６に換えて、基準部５６の単セルの平面形状の上下左右の非対称性に寄与している部分だけにに嵌まる積層方向ガイド部材を設けてもよい。
【００３１】
（Ａ３）燃料電池スタックの製造工程：
図４は、実施形態の積層治具を用いた燃料電池スタックの製造工程を示すフローチャートである。まず、膜電極接合体をアノード側セパレータとカソード側セパレータとで挟持して、単セル２を製造する（ステップＳ１）。単セル２の外観（傷、汚れ、破損等）を黙視にて検査すると共に、積層方向を確認する（ステップＳ４）。ここで、積層方向とは、単セル２を積層する際の単セルの向き（上下左右、表裏）をいう。本実施形態において、単セル２は、その外形が上下左右非対称であるため、黙視による積層方向の誤認を抑制することができる。
【００３２】
ステップＳ４にて外観に問題がなかった単セル２を、積層治具１を用いて積層する（ステップＳ６）。具体的には、図３に示すように、単セル２の基準部５４が形成されている長辺を、位置決めガイド部材２２，２４に沿わせると共に、基準部５６が形成されている短辺を位置決めガイド部材２６に沿わせて、台座１０上に積層していく。
【００３３】
このとき、積層方向（表裏、上下左右）に誤りがなければ、単セル２の基準部５２，５４，５６がそれぞれ積層方向ガイド部材３２，３４，３６に嵌合し、単セル２を適切な位置に積層することができる。一方、積層方向が誤っていると、積層方向ガイド部材３２，３４，３６により、単セル２を適切な位置に積層することができない。
【００３４】
例えば、積層方向の左右が誤っていると（表裏の誤りによる左右の誤りを含む）、単セル２の基準部５２が基準部５６よりも小さいため、作業者は、基準部５２，５６をそれぞれ、積層方向ガイド部材３６，５２に適切に嵌合できず、単セル２を適切な位置に積層することができない。積層方向の左右が誤っている単セル２は、既に積層されている他の単セル２とずれて積層されてしまう。
【００３５】
また、積層方向の上下が誤っていると（表裏の誤りによる左右の誤りを含む）、基準部５４が形成されていない長辺が積層方向ガイド部材３４と接触して、単セル２を適切な位置に積層することができず、その単セル２は、既に積層されている他の単セル２とずれて積層されてしまう。本実施形態では、基準部５４が形成されているため、基準部５６と同一の形状の切欠部４２，４４が形成されていても、積層方向の上下を誤った場合に、単セル２を適切な位置に積層することができない。
【００３６】
このように単セル２の積層方向が誤っていると既に積層されている他の単セル２とずれて積層されてしまうため、作業者は、単セル２の積層方向の誤りに気づいて、積層方向を正して積層し直すことができる。ステップＳ２〜６を、単セル２が５００枚積層されるまで繰り返す。本実施形態において、単セル２を５００枚積層して燃料電池スタックを構成する場合を例示しているが、積層する枚数は本実施形態に限定されず、１０枚，１００枚，４００枚，１０００枚等、必要な出力に応じて適宜定めれば良い。
【００３７】
５００枚の単セル２が積層されると、その積層体の両側に、集電板、絶縁板、エンドプレートを積層し、締結部材にて、所定の荷重で積層体を締結する（ステップＳ８）。これにより、燃料電池スタックが完成する。
【００３８】
完成した燃料電池スタックを用いて、単セル２と単セル２の間、単セル２と集電板の間のシール性の検査（ガス漏れ検査）を行う（ステップＳ１０）。ステップＳ１０において、シール性がＯＫとなると、発電検査を行う（ステップＳ１４）。ステップＳ１４において、発電性能がＯＫとなると、燃料電池スタックの製造工程は終了する。ステップＳ１０，１４において、ＮＧとなった場合には、それぞれ、ＮＧの箇所を特定し、分解、修復後再組み付けする等、ＮＧ処理を行う（ステップＳ１２，１６）。燃料電池スタックの製造工程としては、上記の全ての工程を実施しなくてもよい。例えば、ステップＳ６，８のみを実施してもよい。
【００３９】
（Ａ４）実施形態の効果：
本実施形態の積層治具１は、位置決めガイド部材２２，２４，２６と、積層方向ガイド部材３２，３４，３６と、を備える。単セル２を、積層治具１を用いて積層すると、位置決めガイド部材２２，２４，２６により、適切な積層位置に案内されるため、積層される各単セルの位置のズレが抑制され、適切な位置に単セル２が積層される。
【００４０】
単セル２は、基準部５２，５４，５６により外形が上下左右非対称に形成されており、積層方向ガイド部材３２，３４，３６は、単セル２が積層方向に誤りなく適切な積層位置に積層された場合に、各基準部が嵌合するような形状と位置に設けられている。位置決めガイド部材２２，２４，２６に単セル２を沿わせて積層する際に、単セル２の積層方向に誤りがあると、適切な積層位置からずれて積層されるため、積層作業を行う作業者が積層方向の誤りに気づいて、積層方向を正して積層し直すことができ、単セル２の積層方向を誤ったまま積層されることを抑制することができる。
【００４１】
Ｂ．変形例：
この発明は上記の実施形態や実施形態に限られるものではなく、その要旨を逸脱しない範囲において種々の態様において実施することが可能であり、例えば次のような変形も可能である。
【００４２】
（Ｂ１）変形例１：
積層方向ガイド部材の形状、数は上記実施形態に限定されない。例えば、以下の変形例のように構成してもよい。
図５は、変形例の積層治具１Ａの概略構成を平面視で示す説明図である。図５では、変形例の積層治具１Ａに単セル２Ａが積層された状態を示している。変形例の単セル２Ａは、平面視略長方形を成し、４隅のうち１隅だけが切り欠かれて基準部５８が形成されている。これにより、単セル２Ａの外形は、上下左右非対称に形成されている。
【００４３】
積層治具１Ａは、上記実施形態の積層治具１と同様に、台座１０と位置決めガイド部材２２，２４，２６を備える。そして、積層方向ガイド部材３２，３４，３６に代えて積層方向ガイド部材３８を備える。図示するように、積層方向ガイド部材３８は単セル２Ａの基準部５８と嵌合する形状に形成されている。単セル２Ａは、上下左右非対称の形状であるため、このようにしても、単セル２Ａの積層方向を誤ったまま積層されることを抑制することができる。
【００４４】
図６は、変形例の積層治具１Ｂの概略構成を平面視で示す説明図である。図６では、変形例の積層治具１Ｂに単セル２Ｂが積層された状態を示している。変形例の単セル２Ｂは、平面視略長方形を成し、１隅に円形孔状の基準部５９が形成されている。単セル２Ｂの中心点を対象の中心とした場合に、基準部５９の点対称となる位置には、基準部５９と同一形状の孔は設けられていない。すなわち、基準部は、単セル２Ｂの平面形状が、単セル２Ｂの中心点を対象の中心として点対称とならないように形成されてもよい。
【００４５】
積層治具１Ｂは、上記実施形態の積層治具１と同様に、台座１０と位置決めガイド部材２２，２４，２６を備える。そして、積層方向ガイド部材３２，３４，３６に代えて積層方向ガイド部材３９を備える。図示するように、積層方向ガイド部材３９は単セル２Ｂの基準部５９と嵌合する形状に形成されている。このようにしても、単セル２Ｂの積層方向を誤ったまま積層されることを抑制することができる。
【００４６】
また、例えば、上記実施形態の燃料ガス供給用貫通孔６２を基準部として、燃料ガス供給用貫通孔６２に嵌合する積層方向ガイド部材を備える構成にしてもよい。単セル２に基準部５２，５４，５６を形成せず、積層治具１が積層方向ガイド部材３２，３４，３６を備えなくてもよい。このようすると、単セルの形状を変更することなく、単セル２の積層方向を誤ったまま積層されることを抑制することができる。
【００４７】
図７は、変形例の積層治具１Ｃの概略構成を平面視で示す説明図である。図７では、変形例の積層治具１Ｃに単セル２Ｃが積層された状態を示している。変形例の単セル２Ｃは、平面視略長方形を成し、４辺のうち一の長辺が２箇所切り欠かれ、基準部５１，５３が形成されており、一の短辺が１箇所切り欠かれ、基準部５５が形成されている。
【００４８】
積層治具１Ｃは、上記実施形態の積層治具１と同様に、台座１０を備える。そして、積層方向ガイド部材３２，３４，３６に代えて積層方向ガイド部材４１，４３，４５を備える。上記実施形態の積層治具１と異なり、位置決めガイド部材２２，２４，２６を備えず、位置決めガイド部材２２，２４，２６が設けられていたのとほぼ同じ位置に、積層方向ガイド部材４１，４３，４５が設けられている。図示するように、積層方向ガイド部材４１，４３，４５は、それぞれ、単セル２Ｃの基準部５１，５３，５５と嵌合する形状に形成されている。
【００４９】
単セル２Ｃは、上下左右非対称の形状であるため、このようにしても、単セル２Ｃの積層方向を誤ったまま積層されることを抑制することができる。さらに、変形例の積層治具１Ｃは、積層方向ガイド部材が位置決めガイド部材の機能も兼ね備える。すなわち、単セル２Ｃを積層方向ガイド部材４１，４３，４５に沿わせて積層することにより、適切な積層位置に積層することができる。このようにすると、積層治具の構成を簡単にすることができ、低コスト化、省資源化、製造の容易化に資する。
【００５０】
（Ｂ２）変形例２：
上記実施形態では、積層治具１を用いて単セル２を積層し、燃料電池スタックを製造する工程を例示したが、積層する対象は、単セル２に限定されず、種々のもの積層してよい。例えば、積層治具１を用いて、膜電極接合体、セパレータを積層して単セルを構成してもよいし、燃料電池スタックを複数連結させる場合に、燃料電池スタックを積層してもよい。
【００５１】
（Ｂ３）変形例３：
上記実施形態では、位置決めガイド部材２２，２４，２６が、単セル２の一の長辺および一の短辺に沿うように設けられる構成を例示したが、位置決めガイド部材の形状、数は、上記実施形態に限定されない。例えば、上記実施形態の図３における単セル２の上辺および左辺に接する位置に位置決め部材を加えて、単セル２の４辺全てに対して、位置決めガイド部材を設けても良い。また、上記実施形態の図３における単セル２の上辺と同じ長さの面状の位置決めガイド部材を加えて設けてもよい。このような構成にすると、単セル２の積層方向（表裏、上下左右）を誤ると、積層することができない。そのため、より確実に、積層方向の誤りを抑制することができる。
【符号の説明】
【００５２】
１，１Ａ，１Ｂ，１Ｃ…積層治具
２，２Ａ，２Ｂ，２Ｃ…単セル
１０…台座
２２，２４，２６…位置決めガイド部材
３２，３４，３６，３８，３９，４１，４３，４５…積層方向ガイド部材
４２，４４…切欠部
５１，５２，５３，５４，５５，５６，５８，５９…基準部
６２…燃料ガス供給用貫通孔
６４…燃料ガス排出用貫通孔
７２…冷却水供給用貫通孔
７４…冷却水排出用貫通孔
８２…酸化剤ガス供給用貫通孔
８４…酸化剤ガス排出用貫通孔
９０…冷却水流路
【図１】
2015149265.tif 000003
【図２】
2015149265.tif 000004
【図３】
2015149265.tif 000005
【図４】
2015149265.tif 000006
【図５】
2015149265.tif 000007
【図６】
2015149265.tif 000008
【図７】
2015149265.tif 000009